(57)【要約】【課題】単信の音声通信を行う機能及び複信の音声通信を行う機能を有し、単信の音声通信と複信の音声通信とで共通のスピーカ６から音声を出力する通信装置で、単信の音声通信の開始時における音声の出力レベルを適切化する。【解決手段】単信音声通信検出手段２、７が、開始される音声通信が単信の音声通信である場合に、単信の音声通信であることを検出する。そして、単信音声通信音声出力レベル増加制御手段４、７が、単信音声通信検出手段２、７により単信の音声通信であることが検出された場合には、設定された音声出力レベル増加態様でスピーカから出力される音声のレベルを所定のレベルに増加させる。【選択図】      図１
2005020335.tif 000002
【特許請求の範囲】
【請求項１】
単信の音声通信を行う機能及び複信の音声通信を行う機能を有し、単信の音声通信と複信の音声通信とで共通のスピーカから音声を出力する通信装置において、
開始される音声通信が単信の音声通信である場合に、単信の音声通信であることを検出する単信音声通信検出手段と、
単信音声通信検出手段により単信の音声通信であることが検出された場合には、設定された音声出力レベル増加態様でスピーカから出力される音声のレベルを所定のレベルに増加させる単信音声通信音声出力レベル増加制御手段と、を備えたことを特徴とする通信装置。
【発明の詳細な説明】
【０００１】
【発明の属する技術分野】
本発明は、単信の音声通信と複信の音声通信とで共通のスピーカから音声を出力する通信装置に関し、特に、単信の音声通信の開始時における音声の出力レベルを適切化する通信装置に関する。
【０００２】
【従来の技術】
例えば、共通のスピーカを用いて、単信の音声通信と複信の音声通信とを切り替えて行う携帯型の無線通信装置が実施されている。このような無線通信装置では、複信時には受信音声が低いレベルに調整されてスピーカから出力され、単信時には受信音声が高いレベルに調整されてスピーカから出力される。そして、このような無線通信装置では、一例として、使用者（ユーザ）は、複信時には無線通信装置のスピーカ部を耳に当てて通話し、単信時には無線通信装置を当該ユーザの体から離した状態で通話する。
【０００３】
【特許文献１】
特開平８−１４９０３２号公報
【０００４】
【発明が解決しようとする課題】
しかしながら、上記従来例で示したような無線通信装置では、例えば、単信モードであるにもかかわらずに、使用者やオペレータが複信モードであると勘違いすることもあり、また、使用者によっては、単信モード時に無線通信装置のスピーカ部を耳に当てて通話することもあり得る。そして、このような場合には、使用者が複信の通話を聞くつもりで無線通信装置のスピーカ部を耳に当てた状態で、単信の通話の音量がスピーカから出力されるため、使用者の耳に過大な音量が入力されることとなり、使用者に対して不快感などを与える可能性があった。
【０００５】
本発明は、このような従来の事情に鑑み為されたもので、単信の音声通信と複信の音声通信とで共通のスピーカから音声を出力する構成において、単信の音声通信の開始時における音声の出力レベルを適切化することができる通信装置を提供することを目的とする。
【０００６】
【課題を解決するための手段】
上記目的を達成するため、本発明に係る通信装置では、単信の音声通信を行う機能及び複信の音声通信を行う機能を有し、単信の音声通信と複信の音声通信とで共通のスピーカから音声を出力する構成において、次のような処理を行う。
すなわち、単信音声通信検出手段が、開始される音声通信が単信の音声通信である場合に、単信の音声通信であることを検出する。そして、単信音声通信音声出力レベル増加制御手段が、単信音声通信検出手段により単信の音声通信であることが検出された場合には、設定された音声出力レベル増加態様で、スピーカから出力される音声のレベルを所定のレベルに増加させる。
【０００７】
従って、開始される音声通信が単信の音声通信である場合には、設定された音声出力レベル増加態様でスピーカから出力される音声のレベルを所定のレベルに増加させることにより、単信の音声通信の開始時における音声の出力レベルを適切化することができる。
【０００８】
ここで、単信の音声通信としては、種々な音声通信が用いられてもよく、例えば、同一時刻においては一方向の通信のみが実行可能な通信が用いられ、具体的には、通信相手から送信される音声信号を本発明に係る通信装置により受信して当該音声信号に対応する音声をスピーカからユーザ（使用者）に対して出力する一方向の通信が用いられる。
【０００９】
また、複信の音声通信としては、種々な音声通信が用いられてもよく、例えば、同一の時刻において双方向（両方向）の通信が実行可能な通信が用いられ、具体的には、通信相手から送信される音声信号を本発明に係る通信装置により受信して当該音声信号に対応する音声をスピーカからユーザ（使用者）に対して出力することや、ユーザから入力される音声の信号を本発明に係る通信装置から通信相手に対して送信し、通信相手が当該音声信号を受信して当該音声信号に対応する音声をスピーカから当該通信相手の使用者に対して出力することを行う双方向の通信が用いられる。
【００１０】
なお、通信相手としては、例えば、他の通信装置が用いられる。
また、スピーカとしては、種々なものが用いられてもよい。
また、共通のスピーカとしては、例えば、同一のスピーカが用いられる。
また、単信音声通信検出手段が、開始される音声通信が単信の音声通信である場合に、単信の音声通信であることを検出する仕方としては、種々な仕方が用いられてもよい。
【００１１】
一構成例として、単信音声通信検出手段は、通信相手との単信の音声通信が開始される際に通信相手から送信されて受信される信号に基づいて、開始される音声通信が単信の音声通信であることを検出する。当該信号としては、一例として、通信相手により通信相手からの単信の音声通信が開始されることを通知する情報を有した制御信号が用いられる。
【００１２】
また、スピーカから出力される音声のレベルを増加させる態様（音声出力レベル増加態様）としては、種々なものが用いられてもよく、例えば、音声の出力レベルを増加させる際の時定数の値や、音声の出力レベルを増加させる速度の値などが用いられる。当該時定数や当該速度としては、例えば、急に高いレベルの音声がスピーカから出力されるのを防止することができる程度の値が設定されるのが好ましい。具体的には、例えば、本発明に係る音声出力レベル増加態様による制御が用いられない場合と比べて、長い時定数（つまり、大きい値の時定数）や、遅い速度（つまり、低い値の速度）が用いられるのが好ましい。
【００１３】
また、スピーカから出力される音声のレベルを増加させる態様（音声出力レベル増加態様）としては、種々な態様が用いられてもよく、例えば、直線的に増加させる態様や、曲線的に増加させる態様や、設定された関数に従って増加させる態様や、設定された経過時間とレベルとの対応に従って増加させる態様や、初めは増加させずに（非増加として）所定の時間が経過した時点から増加を開始する態様などを用いることが可能である。
【００１４】
また、スピーカから出力される音声のレベルを所定のレベルに増加させる場合における当該所定のレベルとしては、種々なレベルが用いられてもよい。
一構成例として、本発明に係る通信装置では、単信の音声通信における音声出力レベル（当該所定のレベル）を設定する単信音声通信音声出力レベル設定手段を備える。
【００１５】
一例として、単信音声通信音声出力レベル設定手段は、ユーザからの入力に基づいて、当該所定のレベルを設定する。当該入力としては、例えば、当該所定のレベルを指定する情報が用いられる。
従って、ユーザの好みや希望などに合わせて、単信の音声通信における音声出力レベル（当該所定のレベル）を設定することができる。
【００１６】
他の例として、単信音声通信音声出力レベル設定手段は、通信相手から受信される信号に基づいて、当該所定のレベルを設定する。当該信号としては、例えば、当該所定のレベルを指定する情報を有した信号が用いられる。
従って、通信相手側のユーザの特徴や要求などに合わせて、単信の音声通信における音声出力レベル（当該所定のレベル）を設定することができる。
なお、単信の音声通信における音声出力レベル（当該所定のレベル）として、例えば、従来と同一のレベル或いは近似するレベルが用いられてもよい。
【００１７】
本発明に係る通信装置では、一構成例として、音声出力レベル増加態様を設定する音声出力レベル増加態様設定手段を備える。
ここで、音声出力レベル増加態様設定手段は、例えば、初期的な設定を行ってもよく、或いは、更新の設定を行ってもよい。
【００１８】
また、一例として、音声出力レベル増加態様設定手段は、ユーザからの入力に基づいて、音声出力レベル増加態様を設定する。当該入力としては、例えば、音声出力レベル増加態様を指定する情報が用いられる。
従って、ユーザの好みや希望などに合わせて、音声出力レベル増加態様を設定することができる。
【００１９】
他の例として、音声出力レベル増加態様設定手段は、通信相手から受信される信号に基づいて、音声出力レベル増加態様を設定する。当該信号としては、例えば、音声出力レベル増加態様を指定する情報を有した信号が用いられる。
従って、通信相手側のユーザの特徴や要求などに合わせて、音声出力レベル増加態様を設定することができる。
【００２０】
また、一例として、音声出力レベル増加態様設定手段は、音声出力レベル増加態様として、所定の制限された態様の設定のみを受け付ける。当該制限された態様としては、例えば、所定の値以下又は所定の値未満の速度や、所定の値以上或いは所定の値を超える時定数などを用いることができる。
従って、音声出力レベル増加態様として、所定の制限された態様の設定のみを受け付けることにより、例えば、誤って不適切な態様が設定されてしまうことを防止することができ、単信の音声通信の開始時における音声の出力レベルを適切化することができる。
【００２１】
以下で、更に、本発明に係る構成例を示す。
本発明に係る通信装置では、一構成例として、通信相手に対して信号を送信することや通信相手から送信される信号を受信することを行う信号通信手段と、信号通信手段により受信される制御信号を解析する受信制御信号解析手段と、信号通信手段により受信される音声信号を音声として出力する受信音声出力手段と、受信音声出力手段により出力される音声のレベルを変化させる受信音声出力レベル変化手段と、受信音声出力レベル変化手段により受信音声出力手段により出力される音声のレベルを変化させる態様を制御する受信音声出力レベル変化制御手段のうちの１又は２以上を備える。
【００２２】
ここで、信号通信手段としては、例えば、通信相手に対して信号を送信する信号送信手段や、通信相手から送信される信号を受信する信号受信手段から構成される。
また、受信音声出力手段としては、例えば、スピーカを用いて構成される。
また、受信音声出力手段により出力される音声のレベルを変化させる態様としては、例えば、当該音声のレベルを変化させる速度や時定数などが用いられる。
【００２３】
本発明に係る通信装置では、例えば、無線による通信が行われるが、有線による通信が行われてもよく、或いは、無線による通信と有線による通信との両方が行われてもよい。
本発明に係る通信装置は、例えば、携帯型の通信装置として構成される。
本発明に係る通信装置は、例えば、送受信装置や、送受信機や、通信機や、無線機などとして構成されてもよい。
【００２４】
本発明に係る通信装置では、例えば、単信の音声通信を行うときの方が、複信の音声通信を行うときと比べて、スピーカからの音声出力のレベルが高い。
本発明に係る通信装置では、例えば、通常の使用方法では、単信の音声通信を行うときには、ユーザが当該通信装置のスピーカ部を耳から離した状態で通話し（スピーカからの音声を聞き）、複信の音声通信を行うときには、ユーザが当該通信装置のスピーカ部を耳に当てて通話する（スピーカからの音声を聞く）。
【００２５】
なお、以上に示したような技術思想は、例えば、単信の音声通信と複信の音声通信とで異なるスピーカから音声を出力するものに適用することも可能である。具体的には、例えば、単信の音声通信と複信の音声通信とで受信音声出力手段が別個であり受信音声出力レベル変化手段が共通であるような構成や、単信の音声通信と複信の音声通信とで受信音声出力手段が別個であり受信音声出力レベル変化手段が別個であるような構成などに適用することも可能である。
【００２６】
【発明の実施の形態】
本発明に係る実施例を図面を参照して説明する。
本実施例では、携帯型の無線通信装置に本発明を適用した場合を示す。
本発明に係る第１実施例を説明する。
図１には、本例の無線通信装置に設けられた無線機のハードウエアの構成例を示してある。なお、同図では、説明の便宜上から、主に受信機の機能のみを示してあり、送信機の機能については図示を省略してある。
【００２７】
本例の無線機には、無線信号を送受信するアンテナ１と、デジタル復調を行うデジタル復調部２と、音声信号のコーデックを行う音声コーデック部３と、音声信号のボリュームを変化させる音声ボリューム部（ＶＲ）４と、音声信号の電力を増幅する音声電力増幅器（ＡＦＰＡ）５と、音声を出力するスピーカ６と、各種の制御を行う制御部７と、時定数の指定を入力する時定数指定入力部８が備えられている。ここで、時定数指定入力部８については、後述する第２実施例で説明する。
【００２８】
本例の無線通信装置に設けられた無線機により行われる動作の一例を示す。
アンテナ１では、通信相手から無線により送信される信号を受信し、また、通信相手に対する信号を無線により送信する。
アンテナ１から入力された高周波信号は、デジタル復調部２を通り、音声コーデック部３へ出力されると同時に制御部７へも出力される。音声コーデック部３からの出力は、音声ボリューム部４を通り、音声電力増幅器５を通って、スピーカ６へ出力される。デジタル復調部２、音声コーデック部３及び音声ボリューム部４は、無線機の制御を行う制御部７により制御されている。
【００２９】
デジタル復調部２は、アンテナ１から入力された高周波信号から受信すべき高周波成分を選択し、送信側で変調されたデジタル成分に復調する。復調された１又は０のデジタル信号は、音声コーデック部３へ出力されるとともに制御部７へ出力される。
また、デジタル復調部２は、制御部７から選択すべき高周波成分の指示を受けるとともに、制御部７へ選択された周波数成分の入力レベル情報を出力する。
【００３０】
音声コーデック部３は、デジタル復調部２から入力されたデジタル信号をアナログの音声信号へ変換する。変換された音声信号は、音声ボリューム部４へ出力される。
音声ボリューム部４は、例えば利得を可変することが可能な回路（利得可変回路）から構成されており、制御部７からの指示により、音声コーデック部３から入力された音声信号のレベルを調整する。レベルが調整された音声信号は、音声電力増幅器５へ出力される。
【００３１】
音声電力増幅器５は、音声ボリューム部４から入力された音声信号を電力増幅して、スピーカ６へ出力する。
スピーカ６は、音声電力増幅器５から入力された音声信号により、当該音声信号に対応する音声を出力する。
【００３２】
制御部７は、無線機全体の制御を行う。
具体的には、制御部７は、デジタル復調部２に対して、当該デジタル復調部２で選択する高周波信号成分の指定を行い、また、選択された高周波信号成分のレベルの情報を当該デジタル復調部２から入力する。
また、制御部７は、音声コーデック部３に対して、受信入力が無い場合（無入力である場合）におけるミュート処理などのコーデックの制御を行う。
【００３３】
また、制御部７は、音声ボリューム部４に対して、スピーカ６から出力する音声のレベルを制御するための信号を出力する。
また、制御部７は、例えばデジタル復調部２から入力される受信信号のデジタル復調結果に基づいて、これから開始される音声通信や実行中の音声通信が単信の音声通信であるか或いは複信の音声通信であるかを判定する。
【００３４】
次に、本例の無線通信装置に設けられた無線機の特徴的な構成を説明する。
本例の無線機では、単信の音声通信が開始される場合に、音声ボリューム部４を制御するに際して、時定数を設ける。
具体的には、音声電力増幅器５を通してスピーカ６へ出力される音声信号のレベルを使用者により設定されたレベルにまで音声ボリューム部４により増加させる制御に関して、当該音声信号のレベルを当該設定されたレベルに設定するスピード（速度）について、一定時間当たりに増加させる音量を変化させることにより、時定数を持たせることが可能となる。
【００３５】
なお、従来では、受信信号が入力されるとすぐに、音声ボリューム部（本例の音声ボリューム部４に対応するもの）により音声信号のレベルを使用者により設定されたレベルに設定しており、このため、本例の無線機のように、このような音声信号のレベル設定に係る速度や時定数については考慮されていなかった。
【００３６】
図２には、本例の無線通信装置に設けられた無線機において、単信時に、受信入力があったときにおける音声出力の様子の一例を示してある。
具体的には、同図（ａ）には、受信入力レベルの時間的な変化の様子の一例を示してある。また、同図（ｂ）には、スピーカ６からの音声出力レベルの時間的な変化の様子の一例を示してある。
本例の無線機では、同図（ａ）に示されるように電波が入力した場合には、同図（ｂ）に示されるように、時定数をもって、使用者により設定された音声レベルにまで出力のレベルを上げる。
【００３７】
また、同図（ｃ）には、時定数を変化させた場合におけるスピーカ６からの音声出力レベルの時間的な変化の様子の一例を示してある。
同図（ｃ）に示されるように、時間“Ｔ１”の例のように例えば従来と同様な程度で時定数をほとんど無い状態（つまり、時定数の値が小さい状態）として音声出力レベルを素早く上げることも可能であり、また、時間“Ｔ２”の例のように時定数の値をやや大きくして音声出力レベルをやや遅めに上げることも可能であり、また、時間“Ｔ３”の例のように時定数の値を非常に大きくして音声出力レベルを非常に遅めに上げることも可能である。
【００３８】
図３には、本例の無線通信装置に設けられた無線機の制御部７により行われるスピーカ６からの音声出力レベルの制御処理の手順の一例を示してある。なお、使用者などにより時定数を指定する処理（ステップＳ３）については、後述する第２実施例で説明する。
【００３９】
本例の無線機の制御部７では、まず、受信電波の入力の有無を検出し（ステップＳ１）、受信電波の入力が無い場合には、音声をミュートに設定して或いはその設定を維持して（ステップＳ５）、スピーカ６から音声を出力しない。
一方、本例の無線機の制御部７では、受信電波の入力が有った場合には、当該受信電波に係る通信が音声通信であるか否かを判定する（ステップＳ２）。
【００４０】
当該判定により（ステップＳ２）、当該受信電波に係る通信が例えばデジタルデータの通信のように音声データ以外の通信であることを判定した場合には、本例の無線機の制御部７では、音声をミュートに設定して或いはその設定を維持して（ステップＳ５）、スピーカ６から音声を出力しない。
【００４１】
一方、当該判定により（ステップＳ２）、当該受信電波に係る通信が音声データの通信であることを判定した場合には、本例の無線機の制御部７では、当該音声通信が単信の音声通話であるか否かを判定し、一般の単信音声通話であると判定した場合には、使用者などによる時定数の指定により、時定数を例えば選択的に設定する（ステップＳ３）。
【００４２】
ここで、使用者などにより時定数を指定する仕方としては、種々な仕方が用いられてもよく、例えば、本例の無線機の外面或いは他の外部の装置に備えられたスイッチを使用者などが操作することにより時定数を指定する仕方や、或いは、本例の無線機のメモリに事前に時定数を指定して設定する仕方などを用いることができる。
また、時定数の指定としては、例えば、複数の候補値の中から希望の値が選択的に指定されるような構成が用いられてもよく、或いは、任意の時定数の値を指定して設定することが可能な構成が用いられてもよい。
【００４３】
そして、本例の無線機の制御部７では、例えば上記図２に示したように、指定された時定数をもって音声信号のレベルが増加変化させられるように音声ボリューム部４を制御することにより、スピーカ６から音声を出力していない状態から、例えば使用者により設定された音声レベルになるまで、スピーカ６からの音声出力レベルを上げていく（ステップＳ４）。
なお、スピーカ６から音声を出力していない状態としては、例えば、スピーカ６からの音声出力レベルがゼロであるような状態や、或いは、スピーカ６からの音声出力レベルが所定の低いレベルであるような状態が用いられる。
【００４４】
以上のように、本例の無線通信装置に設けられた無線機では、同一の無線機において単信と複信の両方の通信を行い且つ単信時と複信時とのいずれのときにおいても同一のスピーカ６から音を発生する構成において、次のような構成による受信音声の出力方式を採用した。
すなわち、スピーカ６の直前に音声電力増幅器５を備えるとともに、当該音声電力増幅器５の直前に音声の出力レベルを調整する音声ボリューム部４を備えた構成において、デジタル復調部２からの復調出力信号により単信の通信であることを意味する信号を受信した場合には、当該単信時の音声出力に際して、時定数をもって、使用者により指定される出力レベルへ、音声ボリューム部４の利得を変化させるようにした。
【００４５】
従って、本例の無線通信装置に設けられた無線機では、単複信の音声を同一のスピーカ６から出力する構成において、単信時には、通話の開始時に、スピーカ６からの音声出力レベルを制御するための音声ボリュームの変化について時定数をもたせ、これにより、瞬時的に過大な音声がスピーカ６から出力されないようにした。具体的には、単信受信の際に、音声のボリュームを使用者が指定するレベルにすぐに上げるのではなく、出力される音声のレベルを最小の状態から時定数をもって上げることにより、例えば、使用者が過大な音声を耳にする前に、使用者が耳を放す時間的余裕を持たせることができ、過大な音声を使用者の耳に与えることを予防することができる。
【００４６】
このように、本例の無線通信装置では、使用者により携帯などされて使用されるに際して、単信時に、過大な音声が通話開始時にスピーカ６から出力されることを防止することができ、これにより、使用者による単信の受話開始時に、突然の過大な音量で使用者に対して不快感を与えてしまうようなことなどを防止することができる。
【００４７】
なお、本例の無線通信装置に設けられた無線機では、デジタル復調部２の機能や制御部７の機能により単信音声通信検出手段が構成されており、音声ボリューム部４の機能や制御部７の機能により単信音声通信音声出力レベル増加制御手段が構成されている。
また、本例の無線通信装置に設けられた無線機では、スピーカ６の機能により受信音声出力手段が構成されており、音声ボリューム部４の機能により受信音声出力レベル変化手段が構成されており、制御部７の機能により受信音声出力レベル変化制御手段が構成されている。
【００４８】
また、本例の無線通信装置に設けられた無線機では、アンテナ１の機能を用いた信号受信機能により信号受信手段が構成されており、アンテナ１の機能を用いた信号送信機能により信号送信手段が構成されており、信号受信手段や信号送信手段により信号通信手段が構成されている。
また、本例の無線通信装置に設けられた無線機では、例えば単信の受信であるか或いは複信の受信であるかを判定する制御部７の機能により受信制御信号解析手段が構成されている。
【００４９】
本発明に係る第２実施例を説明する。
本例では、上記第１実施例に係る上記図１に示したような無線通信装置に設けられた無線機において、スピーカ６からの音声出力レベルを制御するための時定数を使用者などにより指定する処理について説明する。
【００５０】
上記第１実施例に示したような無線通信装置に設けられた無線機の機能は、単信時の過大な音量から使用者の聴覚を保護するために有効なものであるが、場合によっては、このような機能により生じるわずかな音声の頭切れが問題となる可能性も考えられる。
【００５１】
そこで、本例では、スピーカ６からの音声出力レベルを制御するための時定数の値について、初期設定や変更設定の指定を行うことを可能とした。
具体的には、一例として、本例の無線機では、使用者により時定数指示入力部８に入力された信号に基づいて、制御部７が時定数の変更などの設定を行う。ここで、使用者は、例えばスイッチなどを操作することにより、時定数を指定する信号を時定数指示入力部８に入力させる。
また、他の一例として、本例の無線機では、通信相手となる相手局から送信されるデジタル信号に基づいて、制御部７が時定数の変更などの設定を行う。
【００５２】
また、本例の無線機では、上記のようにして使用者などにより時定数を設定することが可能なことに関して、時定数として取り得る値の範囲に制限（例えば、下限や上限）を設けてあり、これにより、例えば、使用者などが指定可能な最も短い時定数（下限）の値を選択したような場合においても、使用者が突然の音量出力により不快感を与えられないようにすることなどができる。
【００５３】
また、本例の無線機では、使用者による指示や相手局からの信号などにより、単信の音声通信について、例えば上記第１実施例に示されるようにスピーカ６からの音声出力レベルを制御するための時定数を用いるモードと、例えば後述する図４に示されるのと同様にスピーカ６からの音声出力レベルを制御するための時定数を用いないモードとを切り替えることが可能な機能を有している。
【００５４】
このように、本例の無線機では、使用者などにより、単信に関して、受信信号が入力されてから所定の音量の音声信号が出力されるまでの時間を調整することが可能である。これにより、例えば、相手局の送話者がプレススイッチを押してからマイクに対して話すまでの時間や、本例の無線機の受話者（使用者）が受信に気付いてから耳を近づけるまでの時間の個人差を吸収して、最適な時定数で、音声を出力することが可能となり、当該受話者の聴覚を保護し且つ音声の頭切れを起こす可能性を低減させることが可能となる。
【００５５】
また、本例の無線機では、例えば、使用者などにより、単信の音声通信において、受信される音声の増加後において当該音声をスピーカ６から出力する一定のレベル（所定の音量）を設定する機能を有している。ここで、このような設定は、例えば上記した時定数の設定と同様に、使用者による操作や相手局からの信号などに基づいて制御部７が設定を行うような構成を用いることができる。
【００５６】
以上のように、本例の無線通信装置に設けられた無線機では、使用者が指定する出力レベルとなるまで音声ボリューム部４の利得を変化させる時定数を、使用者による指示或いは受信するデジタル信号に含まれる通信制御信号などにより、変更など設定することが可能である。
【００５７】
従って、本例の無線通信装置に設けられた無線機では、例えば使用者による指示により、音声レベルを上げる時定数について、使用者による使用方法などに適した変更などの設定を行うことができる。また、例えば送信側からの信号或いは使用者による指示により、音声レベルを上げる時定数について、送話者がプレスから声を出すまでの時間の個人差を吸収するために適した変更などの設定を行うことができる。
【００５８】
また、本例の無線通信装置に設けられた無線機では、例えば、緊急通信時には、単信の通信においても、時定数を用いないモードとして、時定数を用いずにスピーカ６から音声を出力することにより、緊急通信時に音の頭切れが起きて緊急情報が使用者に伝わらないといったようなことを防止することができ、緊急情報を使用者に対して確実に伝えることができる。
【００５９】
このように、本例の無線通信装置に設けられた無線機では、音声出力レベルの増加変化に関して時定数をもたせることにより生じ得る通話開始初期の音切れに対しては、当該時定数を使用者などが変えられるようにすることで、使用者の使用環境などに合わせた設定を行うことができ、これにより、使用者に不満がないようにすることが可能となり、また、緊急時には、例えば時定数を用いないモードとすることにより、音切れなく通話を行うことが可能である。
【００６０】
なお、本例の無線通信装置に設けられた無線機では、時定数指定入力部８の機能や制御部７の機能により単信の開始時にスピーカ６からの音声出力レベルを上げるための時定数を設定する機能により音声出力レベル増加態様設定手段が構成されており、制御部７などの機能により単信時にスピーカ６からの音声出力レベルを上げきったときの音声出力レベルを設定する機能により単信音声通信音声出力レベル設定手段が構成されている。
【００６１】
次に、本例の無線通信装置に対する比較例を示す。なお、ここで記載する事項は、必ずしも全てが従来技術であるとは限定しない。
比較例に係る無線通信装置に設けられた無線機は、概略的には、例えば上記した本発明の実施例に係る上記図１に示される無線機の構成から、時定数指定入力部８の機能を含む本発明に係る機能を除いたような構成を有している。そして、比較例に係る無線機では、音声ボリューム部４は、制御部７からの指示により、音声コーデック部３から入力された音声信号のレベルを、複信時には低いレベルに調整し、単信時には高いレベルに調整し、そして、音声信号を音声電力増幅器５へ出力する。
【００６２】
図４には、比較例に係る無線通信装置に設けられた無線機において、受信入力があったときにおける音声出力の様子の一例を示してある。
具体的には、同図（ａ）には、受信入力レベルの時間的な変化の様子の一例を示してある。また、同図（ｂ）には、スピーカ６からの音声出力レベルの時間的な変化の様子の一例を示してある。
【００６３】
比較例に係る無線機では、同図（ａ）に示されるように電波が入力した場合には、同図（ｂ）に示されるように、時定数を持たずに、使用者により設定された音声レベルにまでスピーカ６からの音声出力のレベルを上げる。ここで、同図（ｂ）において、音声の出力レベルが設定されたレベルにまで上がるのに多少の時間がかかっているが、これは、意図をもって制御したものではなく、単に、回路素子の性質などによって生じるものである。
【００６４】
なお、ここでは、説明の便宜上から、上記図１に示した符号を用いて、比較例に係る無線通信装置を説明したが、本発明の実施例に係る無線通信装置について不要な限定を加えるものではない。
【００６５】
ここで、本発明に係る通信装置などの構成としては、必ずしも以上に示したものに限られず、種々な構成が用いられてもよい。なお、本発明は、例えば、本発明に係る処理を実行する方法或いは方式や、このような方法や方式を実現するためのプログラムや当該プログラムを記録した記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
【００６６】
また、本発明に係る通信装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【００６７】
【発明の効果】
以上説明したように、本発明に係る通信装置によると、単信の音声通信を行う機能及び複信の音声通信を行う機能を有し、単信の音声通信と複信の音声通信とで共通のスピーカから音声を出力する構成において、開始される音声通信が単信の音声通信である場合に単信の音声通信であることを検出し、そして、単信の音声通信であることが検出された場合には設定された音声出力レベル増加態様でスピーカから出力される音声のレベルを所定のレベルに増加させるようにしたため、単信の音声通信の開始時における音声の出力レベルを適切化することができる。
【図面の簡単な説明】
【図１】本発明の実施例に係る無線通信装置に設けられた無線機の構成例を示す図である。
【図２】本発明の実施例に係る単信開始時における音声出力レベルの時間的な変化の様子の例を示す図である。
【図３】本発明の実施例に係る単信開始時における音声出力レベルの制御処理の手順の一例を示す図である。
【図４】比較例に係る単信開始時における音声出力レベルの時間的な変化の様子の一例を示す図である。
【符号の説明】
１・・アンテナ、  ２・・デジタル復調部、  ３・・音声コーデック部、
４・・音声ボリューム部、  ５・・音声電力増幅器、  ６・・スピーカ、
７・・制御部、  ８・・時定数指定入力部、
【図１】
2005020335.tif 000003
【図２】
2005020335.tif 000004
【図３】
2005020335.tif 000005
【図４】
2005020335.tif 000006